(57)【要約】【課題】改良材を均質に分散させること。【解決手段】上下方向に伸延する掘削軸体と、同掘削軸体の下端部より半径方向に伸延させて形成した掘削刃体とを具備する地盤改良装置において、掘削刃体にその伸延方向に沿って改良材吐出流路を設け、同改良材吐出流路を通して改良材を掘削刃体の伸延幅の略全幅にわたって吐出させるようにした。このようにして、掘削刃体の伸延幅の略全幅にわたって改良材を吐出させることができて、同改良材を掘削土壌中に吐出した段階で既に均質に分散させることができる。【選択図】　　　　図２
2004019160.tif 000002
【特許請求の範囲】
【請求項１】
上下方向に伸延する掘削軸体と、同掘削軸体の下端部より半径方向に伸延させて形成した掘削刃体とを具備する地盤改良装置において、
掘削刃体にその伸延方向に沿って改良材吐出流路を設け、同改良材吐出流路を通して改良材を掘削刃体の伸延幅の略全幅にわたって吐出させるようにしたことを特徴とする地盤改良装置。
【請求項２】
掘削刃体にその伸延幅の略全幅にわたって伸延するスリット状の改良材吐出口を形成し、同改良材吐出口に改良材吐出流路を連通させたことを特徴とする請求項１記載の地盤改良装置。
【請求項３】
掘削刃体にその伸延幅の略全幅にわたって複数の改良材吐出孔を形成し、各改良材吐出孔に改良材吐出流路を連通させたことを特徴とする請求項１記載の地盤改良装置。
【請求項４】
掘削刃体にその伸延幅の略全幅にわたって複数のスリット状の改良材吐出口を形成し、各改良材吐出口に改良材吐出流路を連通させたことを特徴とする請求項１記載の地盤改良装置。
【請求項５】
掘削刃体にその伸延方向に沿って複数の改良材吐出流路を形成し、各改良材吐出流路を改良材吐出口ないしは改良材吐出孔に連通させたことを特徴とする請求項１〜４のいずれか１項に記載の地盤改良装置。
【請求項６】
上下方向に伸延する掘削軸体と、同掘削軸体の下端部より半径方向に伸延させて形成した掘削刃体とを具備する地盤改良装置において、
掘削軸体よりその半径方向に伸延させて改良材吐出体を上記掘削刃体と略同一伸延幅に形成し、同改良材吐出体中にその伸延方向に沿って改良材吐出流路を形成し、同改良材吐出流路を通して改良材を改良材吐出体の伸延幅の略全幅にわたって吐出させるようにしたことを特徴とする地盤改良装置。
【請求項７】
改良材吐出体にその伸延幅の略全幅にわたって伸延するスリット状の改良材吐出口を形成し、同改良材吐出口に改良材吐出流路を連通させたことを特徴とする請求項６記載の地盤改良装置。
【請求項８】
改良材吐出体にその伸延幅の略全幅にわたって複数の改良材吐出孔を形成し、同改良材吐出孔に改良材吐出流路を連通させたことを特徴とする請求項６記載の地盤改良装置。
【発明の詳細な説明】
【０００１】
【発明の属する技術分野】
本発明は、地盤改良装置に関する。
【０００２】
【従来の技術】
従来、地盤を改良する地盤改良装置の一形態として、掘削軸体の下部周面に撹拌翼体を取り付けると共に、同掘削軸体の下端部に掘削刃体を取り付け、掘削軸体の下端部である掘削刃体の中央部ないしは掘削軸体の下部外周面に改良材吐出部を設けたものがある。
【０００３】
そして、かかる地盤改良装置では、掘削軸体を介して掘削刃体を回転させることにより、同掘削刃体により地盤を掘削しながら地盤中に掘進させると共に、上記掘削刃体と一体的に回転する撹拌翼体により掘削土を攪拌し、かつ、改良材吐出部より改良材を吐出して、掘削土と改良材とを混練するようにしている。
【０００４】
ここで、改良材としては、汚染土壌を処理する処理材やセメントペースト等の固化材を使用して、地盤を改良するようにしている。
【０００５】
【発明が解決しようとする課題】
ところが、上記した地盤改良装置による地盤改良作業では、地盤中において、掘削土と改良材とを混練するようにしているため、かかる混練が確実にかつ満遍なく行われているか否かの確認が十分に行えず、今一つ信頼性に不安がある。
【０００６】
すなわち、改良材吐出部は、掘削軸体の下端部である掘削刃体の中央部ないしは掘削軸体の下部外周面に設けているため、かかる改良材吐出部から吐出された改良材が撹拌翼体により撹拌される撹拌領域内で均質に分散されているのか不安がある。
【０００７】
【課題を解決するための手段】
そこで、本発明では、上下方向に伸延する掘削軸体と、同掘削軸体の下端部より半径方向に伸延させて形成した掘削刃体とを具備する地盤改良装置において、掘削刃体にその伸延方向に沿って改良材吐出流路を設け、同改良材吐出流路を通して改良材を掘削刃体の伸延幅の略全幅にわたって吐出させるようにしたことを特徴とする地盤改良装置を提供するものである。
【０００８】
また、本発明は、以下の構成にも特徴を有する。
【０００９】
（１）掘削刃体にその伸延幅の略全幅にわたって伸延するスリット状の改良材吐出口を形成し、同改良材吐出口に改良材吐出流路を連通させたこと。
【００１０】
（２）掘削刃体にその伸延幅の略全幅にわたって複数の改良材吐出孔を形成し、同改良材吐出孔に改良材吐出流路を連通させたこと。
【００１１】
（３）掘削刃体にその伸延幅の略全幅にわたって複数のスリット状の改良材吐出口を形成し、各改良材吐出口に改良材吐出流路を連通させたこと。
【００１２】
（４）掘削刃体にその伸延方向に沿って複数の改良材吐出流路を形成し、各改良材吐出流路を改良材吐出口ないしは改良材吐出孔に連通させたこと。
【００１３】
（５）上下方向に伸延する掘削軸体と、同掘削軸体の下端部より半径方向に伸延させて形成した掘削刃体とを具備する地盤改良装置において、掘削軸体よりその半径方向に伸延させて改良材吐出体を上記掘削刃体と略同一伸延幅に形成し、同改良材吐出体中にその伸延方向に沿って改良材吐出流路を形成し、同改良材吐出流路を通して改良材を改良材吐出体の伸延幅の略全幅にわたって吐出させるようにしたこと。
【００１４】
（６）改良材吐出体にその伸延幅の略全幅にわたって伸延するスリット状の改良材吐出口を形成し、同改良材吐出口に改良材吐出流路を連通させたこと。
【００１５】
（７）改良材吐出体にその伸延幅の略全幅にわたって複数の改良材吐出孔を形成し、同改良材吐出孔に改良材吐出流路を連通させたこと。
【００１６】
【発明の実施の形態】
以下に、本発明の実施の形態について説明する。
【００１７】
すなわち、本発明に係る地盤改良装置は、基本的構造として、上下方向に伸延する掘削軸体と、同掘削軸体の下端部より半径方向に伸延させて形成した掘削刃体とを具備している。
【００１８】
そして、特徴的構造として、掘削刃体にその伸延方向に沿って改良材吐出流路を設け、同改良材吐出流路を通して改良材を掘削刃体の伸延幅の略全幅にわたって吐出させるようにしている。
【００１９】
しかも、掘削刃体にその伸延幅の略全幅にわたって伸延するスリット状の改良材吐出口を形成し、同改良材吐出口に改良材吐出流路を連通させている。
【００２０】
そして、掘削刃体にその伸延幅の略全幅にわたって複数の改良材吐出孔を形成し、同改良材吐出孔に改良材吐出流路を連通させることもできる。
【００２１】
さらには、掘削刃体にその伸延幅の略全幅にわたって複数のスリット状の改良材吐出口を形成し、各改良材吐出口に改良材吐出流路を連通させている。
【００２２】
そして、掘削刃体にその伸延方向に沿って複数の改良材吐出流路を形成し、各改良材吐出流路を改良材吐出口ないしは改良材吐出孔に連通させている。
【００２３】
また、本発明では、掘削軸体よりその半径方向に伸延させて改良材吐出体を上記掘削刃体と略同一伸延幅に形成し、同改良材吐出体中にその伸延方向に沿って改良材吐出流路を形成し、同改良材吐出流路を通して改良材を改良材吐出体の伸延幅の略全幅にわたって吐出させるようにしている。
【００２４】
しかも、改良材吐出体にその伸延幅の略全幅にわたって伸延するスリット状の改良材吐出口を形成し、同改良材吐出口に改良材吐出流路を連通させている。
【００２５】
そして、改良材吐出体にその伸延幅の略全幅にわたって複数の改良材吐出孔を形成し、同改良材吐出孔に改良材吐出流路を連通させている。
【００２６】
【実施例】
以下に、本発明の実施例を、図面を参照しながら説明する。
【００２７】
図１に示すＡは、本発明に係る地盤改良装置であり、同地盤改良装置Ａは、ベースマシン１と改良材供給部２とを装備している。
【００２８】
ベースマシン１は、図１に示すように、自走可能なベースマシン本体３に上下方向に伸延するリーダ４を設け、同リーダ４にモータ支持体５を昇降自在に取り付け、同モータ支持体５に駆動用モータ６を搭載し、同駆動用モータ６に上下方向に伸延する掘削軸体７の上端部を二重反転歯車機構８を介して着脱自在に取り付け、同掘削軸体７の下端部に掘削刃体１０を取り付けている。
【００２９】
改良材供給部２は、図１及び図２に示すように、改良材収容タンクと改良材供給ポンプ（図示しない）とを具備し、同改良材供給ポンプに第１・第２・第３改良材供給ホースｈ１，ｈ２，ｈ３の基端部を接続し、各改良材供給ホースｈ１，ｈ２，ｈ３の先端部をスイベルジョイント等の第１・第２・第３ホース接続体ｊ１，ｊ２，ｊ３を介して前記掘削軸体７に接続している。ここで、改良材としては、汚染土壌を処理するための処理材やセメントペースト等の固化材を使用することができる。
【００３０】
掘削軸体７は、図２及び図３にも示すように、上下方向に伸延させて形成した筒状の内側軸２０と、同内側軸２０の外周を囲繞する状態に上下方向に伸延させて形成した筒状の外側軸２１とから内外側二重軸構造に構成しており、内側軸２０と外側軸２１は、駆動用モータ６により二重反転歯車機構８を介して同一軸芯廻りに相互に反対方向に回転するようにしている。
【００３１】
そして、内側軸２０中には上下方向に伸延させて形成した筒状体２２を挿通して、同筒状体２２中に第１改良材供給路ｒ１を形成し、同筒状体２２の外周面と内側軸２０の内周面との間に第２改良材供給路ｒ２を形成し、同内側軸２０の外周面と外側軸２１の内周面との間に第３改良材供給路ｒ３を形成している。
【００３２】
しかも、筒状体２２の上端部と、内側軸２０の上端部と、外側軸２１の上端部とに、それぞれ第１・第２・第３ホース接続体ｊ１，ｊ２，ｊ３を設けて、各ホース接続体ｊ１，ｊ２，ｊ３と前記した改良材供給部２との間に、前記した第１・第２・第３改良材供給ホースｈ１，ｈ２，ｈ３を介設して、同改良材供給部２より各改良材供給ホースｈ１，　ｈ２，ｈ３→各ホース接続体ｊ１，ｊ２，ｊ３→各改良材供給路ｒ１，ｒ２，ｒ３に改良材を供給することができるようにしている。
【００３３】
ここで、内側軸２０の下端部には掘削刃体１０を取り付けており、同掘削刃体１０の回転中心部に第１改良材吐出部２９を設けている。
【００３４】
そして、第１改良材吐出部２９は、掘削刃体１０の回転中心部まで筒状体２２の下端部を伸延させ、同筒状体２２の下端部に第１改良材吐出孔２２ａを形成して、同第１改良材吐出孔２２ａを第１改良材供給路ｒ１に連通させ、同第１改良材供給路ｒ１を通して供給される改良材を、第１改良材吐出孔２２ａより直下方へ向けて吐出させるようにしている。
【００３５】
掘削刃体１０は、図２及び図３に示すように、掘削軸体７の下端部より半径方向に伸延させて形成しており、同掘削軸体７の軸芯を中心に１８０度点対称の位置に二個設けている。
【００３６】
そして、掘削刃体１０は、掘削軸体７より半径方向に伸延する掘削刃本体１０ａと、同掘削刃本体１０ａの前端縁部に複数取り付けた掘削ビット１０ｂとを具備しており、各掘削ビット１０ｂは、掘削刃本体１０ａにその伸延方向に間隔を開けて前方（回転方向ｂ）へ突設している。
【００３７】
ここで、掘削刃本体１０ａの先端部の回転半径は、前記した外側攪拌翼２８の縦翼片２８ｃの回転半径と略同一となるように形成している。
【００３８】
上記のような構成において、本発明の要旨は、掘削刃体１０にその伸延方向に沿って改良材吐出流路４０を設け、同改良材吐出流路４０を通して改良材を掘削刃体１０の伸延幅の略全幅にわたって吐出させるようにした改良材吐出構造にある。
【００３９】
以下に、かかる改良材吐出構造の第１実施例〜第６実施例について、図２〜図１４を参照しながら詳細に説明する。
【００４０】
〔第１実施例〕
第１実施例としての改良材吐出構造は、図２〜図４に示すように、二個の各掘削刃本体１０ａ中にその伸延方向に沿って改良材吐出流路４０を形成し、各改良材吐出流路４０に連通させて掘削刃本体１０ａの後端縁部に改良材吐出口４１を形成すると共に、各改良材吐出口４１は、掘削刃本体１０ａの伸延幅の略全幅にわたって伸延させてスリット状に形成している。
【００４１】
しかも、各改良材吐出口４１は、掘削刃本体１０ａの基端部側より先端部側に向けて上下幅を漸次広幅に形成して、掘削刃本体１０ａの基端部側より先端部側にいくにしたがって改良材が流出し易いようにして、同改良材吐出口４１の伸延幅の全幅より略均等に改良材Ｋが吐出されるようにしている。Ｑは、掘削刃体１０の回転軌跡である。
【００４２】
さらには、二個の掘削刃本体１０ａ，１０ａ中にそれぞれ形成した改良材吐出流路４０，４０は、一方を第２改良材供給路ｒ２に連通させると共に、他方を第３改良材供給路ｒ３に連通させている。
【００４３】
このようにして、第２改良材供給路ｒ２→改良材吐出流路４０→改良材吐出口４１より改良材を吐出させると共に、第３改良材供給路ｒ３→改良材吐出流路４０→改良材吐出口４１より改良材を吐出させるようにして、各改良材吐出口４１，４１より改良材を偏りなく確実に吐出させることができるようにしている。
【００４４】
また、本実施例では、掘削軸体７の下端部に掘削刃体１０を取り付けているだけであるため、地盤に水を供給して、同地盤を弛緩させることにより貫入抵抗を少なくするという作業を行う必要性がなく、特に、汚染土壌を改良材Ｋにより改良する際に、掘削土壌の排出量を可及的に少なくすることができて、排出土壌の処理を行う必要性を少なくすることができ、その結果、排出土壌の処理コストを大幅に削減することができる。
【００４５】
〔第２実施例〕
図５は、第２実施例としての改良材吐出構造を示しており、同改良材吐出構造は、前記した第１実施例としての改良材吐出構造と基本的構造を同じくしているが、掘削刃本体１０ａにその伸延幅の略全幅にわたって複数の改良材吐出孔４２を形成し、同改良材吐出孔４２に改良材吐出流路４０を連通させた点において異なる。
【００４６】
すなわち、改良材吐出孔４２は、掘削刃本体１０ａの基端部側より先端部側にいくにしたがって孔の径を大きく形成して、改良材が先端部側にいくにしたがって流出し易いようにして、全ての改良材吐出孔４２より略均等に改良材が吐出されるようにしている。
【００４７】
〔第３実施例〕
図６及び図７は、第３実施例としての改良材吐出構造を示しており、同改良材吐出構造は、前記した第１実施例としての改良材吐出構造と基本的構造を同じくしているが、掘削刃本体１０ａ中にその伸延方向に沿って複数、本実施例では第１改良材吐出流路４４と第２改良材吐出流路４５の二つの流路を上下二段に平行させて形成している点において異なる。
【００４８】
そして、第１改良材吐出流路４４の内側端部を第２改良材供給路ｒ２に連通させる一方、第２改良材吐出流路４５の内側端部を第３改良材供給路ｒ３に連通させて、両第１・第２改良材吐出流路４４，４５の先端部を連通させている。
【００４９】
しかも、改良材吐出口４１，４１は、第２改良材吐出流路４４に沿わせて形成すると共に、連通させている。
【００５０】
このようにして、第２改良材供給路ｒ２を通して供給される改良材Ｋは、第１改良材吐出流路４４を通して改良材吐出口４１，４１の内側半部側より吐出される一方、第３改良材供給路ｒ３を通して供給される改良材Ｋは、第２改良材吐出流路４５を通して改良材吐出口４１，４１の外側半部側より吐出されて、各改良材吐出口４１，４１の全幅より均等にかつ効率良く改良材を吐出させることができる。
【００５１】
〔第４実施例〕
図８及び図９は、第４実施例としての改良材吐出構造を示しており、同改良材吐出構造は、前記した第３実施例としての改良材吐出構造と基本的構造を同じくしているが、一つの掘削刃本体１０ａに複数（本実施例では二つ）の改良材吐出口４１，４１を形成した点において異なる。
【００５２】
そして、改良材吐出口４１の伸延幅は、掘削刃本体１０ａの伸延幅の略半分に形成して、掘削刃本体１０ａの内側半部に配置した改良材吐出口４１を第１改良材吐出流路４４に沿わせて形成すると共に連通させる一方、掘削刃本体１０ａの外側半部に配置した改良材吐出口４１を第２改良材吐出流路４５に沿わせて形成すると共に連通させている。ｃは改良材吐出方向である。
【００５３】
このようにして、掘削刃本体１０ａの略全幅にわたって形成した二つの改良材吐出口４１，４１より改良材を吐出させることができると共に、各改良材吐出口４１，４１には第１・第２改良材吐出流路４４，４５のいずれかと連通さているため、いずれの改良材吐出口４１，４１からも確実に改良材Ｋを吐出させることができる。
【００５４】
しかも、第１・第２改良材吐出流路４４，４５より異なる種類の改良材Ｋ，Ｋをいずれかの改良材吐出口４１，４１より吐出させることができて、所望の地盤改良処理を効率良く行うことができる。
【００５５】
さらには、外周側に配置した改良材吐出口４１には第２改良材吐出流路４５より比較的大量の改良材Ｋを吐出させる一方、内周側に配置した改良材吐出口４１には第１改良材吐出流路４４より比較的小量の改良材Ｋを吐出させることにより、同一平面内にて略均等量の改良材が吐出されるようにして、同改良材Ｋが同一平面内にて均質に分散されるようにすることができる。
【００５６】
なお、本実施例では、改良材吐出口４１に代えて複数の改良材吐出孔４２を形成することもできる。
【００５７】
また、本実施例では、改良材吐出口４１の伸延幅を、掘削刃本体１０ａの伸延幅の略半分に形成しているが、それ以上に伸延させて形成することも、さらには、掘削刃本体１０ａと略同一幅に形成することもできる。
【００５８】
〔変容例〕
図１０は、第１実施例としての地盤改良装置Ａの変容例を示しており、かかる変容例としての地盤改良装置Ａは、基本的構造を前記した第１実施例としての地盤改良装置Ａと同じくしているが、掘削軸体７の下部周面に相対撹拌翼体９を取り付けた点において異なる。
【００５９】
相対撹拌翼体９は、図１１及び図１２にも示すように、最内側撹拌翼２６と、同最内側撹拌翼２６の外周を相対的に反対方向に回転する内側撹拌翼２７と、同内側撹拌翼２７の外周を相対的に反対方向に回転する外側撹拌翼２８とを具備しており、内側撹拌翼２７と外側撹拌翼２８は、略相似形に形成して、両撹拌翼２７，２８間に形成される間隙を、両撹拌翼２７，２８のほぼ全域にわたってほぼ等しい幅員となすことにより、掘削土壌の共回り現象を防止することができると共に、緻密な撹拌機能を発揮させることができるようにしている。
【００６０】
最内側撹拌翼２６は、外側軸２１の下端部より放射状に突出させて形成しており、外側軸２１の下端部の線対称位置に一対設けて、外側軸２１と一体的にａ方向に回転するようにしている。
【００６１】
内側撹拌翼２７は、掘削軸体７の半径方向に張り出し状に伸延する上下一対の上・下部横翼片２７ａ，２７ｂと、両上・下部横翼片２７ａ，２７ｂの外側端部間に上下方向に伸延させて介設した縦翼片２７ｃとから弧状に形成しており、外側軸２１の外周面に回転自在に遊嵌したリング状の翼片支持体３０に上部横翼片２７ａの先端部を取り付ける一方、内側軸２０の下端部に下部横翼片２７ｂの先端部を取り付けて、内側軸２０と一体的にｂ方向に回転するようにしている。
【００６２】
そして、内側撹拌翼２　７は、内側軸２０の下部の１８０度点対称の位置に一対設けている。３１は、縦翼片２７ｃの中途部より外方へ突出させて形成した小翼片である。
【００６３】
外側撹拌翼２８は、掘削軸体７の半径方向に張り出し状に伸延する上下一対の上・下部横翼片２８ａ，２８ｂと、両上・下部横翼片２８ａ，２８ｂの外側端部間に上下方向に伸延させて介設した縦翼片２８ｃとから弧状に形成しており、外側軸２１の下端部に上部横翼片２８ａの先端部を取り付ける一方、内側軸２０の外周面に回転自在に遊嵌したリング状の翼片支持体３４に下部横翼片２８ｂの先端部を取り付けて、外側軸２１と一体的にａ方向に回転するようにしている。
【００６４】
そして、外側撹拌翼２８は、掘削軸体７の下部の円周方向に一定の間隔を開けて三個設けている。３５は、縦翼片２８ｃの上部と下部にそれぞれ外方へ突出させて形成した小翼片であり、これら小翼片３５，３５の回転軌跡は、内側撹拌翼２７に設けた小翼片３１の回転軌跡と上下方向にオーバーラップするように配置して、相対的に逆回転する内・外側撹拌翼２７，２８間において、掘削土壌の撹拌が確実に行えるようにしている。
【００６５】
〔第５実施例〕
図１３は、第５実施例としての改良材吐出構造を示しており、同改良材吐出構造は、前記した変容例として地盤改良装置Ａの改良材吐出構造と基本的構造を同じくしているが、改良材吐出流路４０を掘削刃体１０とは別個に設けた改良材吐出体４３中に形成した点において異なる。
【００６６】
すなわち、掘削軸体７よりその半径方向に伸延させて一対の改良材吐出体４３，４３を形成すると共に、両改良材吐出体４３，４３は、掘削軸体７の軸芯廻りに１８０度点対称の位置に配置しており、各改良材吐出体４３，４３は、それぞれ上記掘削刃本体１０ａと略同一伸延幅に形成し、各改良材吐出体４３，４３中にその伸延方向に沿って改良材吐出流路４０，４０を形成し、同改良材吐出流路４０，４０を通して改良材を改良材吐出体４３，４３の伸延幅の略全幅にわたって吐出させるようにしている。
【００６７】
そして、改良材吐出体４３の後側周面に改良材吐出口４１を形成すると共に、各改良材吐出口４１は、掘削刃本体１０ａの伸延幅の略全幅にわたって伸延させてスリット状に形成している。
【００６８】
しかも、各改良材吐出口４１は、掘削刃本体１０ａの基端部側より先端部側に向けて上下幅を漸次広幅に形成して、掘削刃本体１０ａの基端部側より先端部側にいくにしたがって改良材が流出し易いようにして、同改良材吐出口４１の伸延幅の全幅より略均等に改良材が吐出されるようにしている。
【００６９】
さらには、二個の改良材吐出体４３，４３中にそれぞれ形成した改良材吐出流路４０，４０は、一方を第２改良材供給路ｒ２に連通させると共に、他方を第３改良材供給路ｒ３に連通させている。
【００７０】
このようにして、第２改良材供給路ｒ２→改良材吐出流路４０→改良材吐出口４１より改良材を吐出させると共に、第３改良材供給路ｒ３→改良材吐出流路４０→改良材吐出口４１より改良材を吐出させるようにして、各改良材吐出口４１，４１より改良材を偏りなく確実に吐出させることができるようにしている。
【００７１】
なお、相対攪拌翼体９は、必要に応じて、掘削軸体７より取り外した形態とすることもできる。
【００７２】
〔第６実施例〕
図１４は、第６実施例としての改良材吐出構造を示しており、同改良材吐出構造は、前記した第５実施例としての改良材吐出構造と基本的構造を同じくしているが、改良材吐出体４３にその伸延幅の略全幅にわたって複数の改良材吐出孔４２を形成し、同改良材吐出孔４２に改良材吐出流路４０を連通させた点において異なる。
【００７３】
すなわち、改良材吐出孔４２は、掘削刃本体１０ａの基端部側より先端部側にいくにしたがって孔の径を大きく形成して、改良材が先端部側にいくにしたがって流出し易いようにして、全ての改良材吐出孔４２より略均等に改良材が吐出されるようにしている。
【００７４】
【発明の効果】
（１）請求項１記載の本発明では、上下方向に伸延する掘削軸体と、同掘削軸体の下端部より半径方向に伸延させて形成した掘削刃体とを具備する地盤改良装置において、掘削刃体にその伸延方向に沿って改良材吐出流路を設け、同改良材吐出流路を通して改良材を掘削刃体の伸延幅の略全幅にわたって吐出させるようにしている。
【００７５】
このようにして、掘削刃体の伸延幅の略全幅にわたって改良材を吐出させることができるため、同改良材を掘削土壌中に吐出した段階で既に均質に分散させることができる。
【００７６】
従って、掘削軸体を介して掘削刃体を回転させることにより、同掘削刃体により地盤を掘削しながら地盤中に掘進させると共に、改良材吐出流路を通して改良材を吐出させるだけで、同改良材を掘削土壌中に均質に分散させることができて、地盤改良効果を良好に確保することができる。
【００７７】
（２）請求項２記載の本発明では、掘削刃体にその伸延幅の略全幅にわたって伸延するスリット状の改良材吐出口を形成し、同改良材吐出口に改良材吐出流路を連通させている。
【００７８】
このようにして、掘削刃体の略全幅にわたって伸延するスリット状の改良材吐出口より改良材を帯状に吐出させることができ、しかも、掘削刃体は回転しながら掘進するため、帯状に吐出される改良材が掘削土壌中にて螺旋状の面を形成して、同掘削土壌中に均質に分散されることになり、地盤改良効果を向上させることができる。
【００７９】
（３）請求項３記載の本発明では、掘削刃体にその伸延幅の略全幅にわたって複数の改良材吐出孔を形成し、同改良材吐出孔に改良材吐出流路を連通させている。
【００８０】
このようにして、掘削刃体の略全幅にわたって形成した複数の改良材吐出孔より改良材を縄暖簾状に吐出させることができ、しかも、掘削刃体は回転しながら掘進するため、複数の線状に吐出される改良材が掘削土壌中にて螺旋状の線の束を形成して、同掘削土壌中に均質に分散されることになり、地盤改良効果を向上させることができる。
【００８１】
（４）請求項４記載の本発明では、掘削刃体にその伸延幅の略全幅にわたって複数のスリット状の改良材吐出口を形成し、各改良材吐出口に改良材吐出流路を連通させている。
【００８２】
このようにして、掘削刃体の略全幅にわたって形成した複数の改良材吐出口より改良材を細幅帯状に吐出させることができ、しかも、掘削刃体は回転しながら掘進するため、複数の細幅帯状に吐出される改良材が掘削土壌中にて螺旋状の細幅帯状面の束を形成して、同掘削土壌中に均質に分散されることになり、地盤改良効果を向上させることができる。
【００８３】
（５）請求項５記載の本発明では、掘削刃体にその伸延方向に沿って複数の改良材吐出流路を形成し、各改良材吐出流路を改良材吐出口ないしは改良材吐出孔に連通させている。
【００８４】
このようにして、掘削刃体の略全幅にわたって形成した複数の改良材吐出口ないしは改良材吐出孔より改良材を吐出させることができると共に、各改良材吐出口ないしは改良材吐出孔には複数の改良材吐出流路のいずれかと連通さているため、いずれの改良材吐出口ないしは改良材吐出孔からも確実に改良材を吐出させることができる。
【００８５】
しかも、複数の改良材吐出流路より異なる種類の改良材をいずれかの改良材吐出口ないしは改良材吐出孔より吐出させることができて、所望の地盤改良処理を効率良く行うことができる。
【００８６】
さらには、外周側に配置した改良材吐出口ないしは改良材吐出孔には所定の改良材吐出流路より大量の改良材を吐出させる一方、内周側に配置した改良材吐出口ないしは改良材吐出孔には所定の改良材吐出流路より小量の改良材を吐出させることにより、同一平面内にて略均等量の改良材が吐出されるようにして、同改良材が均質に分散されるようにすることもできる。
【００８７】
（６）請求項６記載の本発明では、上下方向に伸延する掘削軸体と、同掘削軸体の下端部より半径方向に伸延させて形成した掘削刃体とを具備する地盤改良装置において、掘削軸体よりその半径方向に伸延させて改良材吐出体を上記掘削刃体と略同一伸延幅に形成し、同改良材吐出体中にその伸延方向に沿って改良材吐出流路を形成し、同改良材吐出流路を通して改良材を改良材吐出体の伸延幅の略全幅にわたって吐出させるようにしている。
【００８８】
このようにして、改良材吐出体の伸延幅の略全幅にわたって改良材を吐出させることができるため、同改良材を掘削土壌中に吐出した段階で既に均質に分散させることができる。
【００８９】
従って、改良材吐出体を介して掘削刃体を回転させることにより、同改良材吐出体により地盤を掘削しながら地盤中に掘進させると共に、改良材吐出流路を通して改良材を吐出させるだけで、同改良材を掘削土壌中に均質に分散させることができて、地盤改良効果を良好に確保することができる。
【００９０】
（７）請求項７記載の本発明では、改良材吐出体にその伸延幅の略全幅にわたって伸延するスリット状の改良材吐出口を形成し、同改良材吐出口に改良材吐出流路を連通させている。
【００９１】
このようにして、改良材吐出体の略全幅にわたって伸延するスリット状の改良材吐出口より改良材を帯状に吐出させることができ、しかも、改良材吐出体は回転しながら掘進方向に移動するため、帯状に吐出される改良材が掘削土壌中にて螺旋状の面を形成して、同掘削土壌中に均質に分散されることになり、地盤改良効果を向上させることができる。
【００９２】
（８）請求項８記載の本発明では、改良材吐出体にその伸延幅の略全幅にわたって複数の改良材吐出孔を形成し、同改良材吐出孔に改良材吐出流路を連通させている。
【００９３】
このようにして、改良材吐出体の略全幅にわたって形成した複数の改良材吐出孔より改良材を縄暖簾状に吐出させることができ、しかも、掘削刃体は回転しながら掘進するため、複数の線状に吐出される改良材が掘削土壌中にて螺旋状の線の束を形成して、同掘削土壌中に均質に分散されることになり、地盤改良効果を向上させることができる。
【図面の簡単な説明】
【図１】本発明に係る地盤改良装置の説明図。
【図２】第１実施例としての改良材吐出構造を示す一部切欠側面図。
【図３】同掘削刃体の底面説明図。
【図４】同掘削刃体の断面側面図。
【図５】第２実施例としての改良材吐出構造を示す一部切欠側面図。
【図６】第３実施例としての改良材吐出構造を示す一部切欠側面図。
【図７】同掘削刃体の底面説明図。
【図８】第４実施例としての改良材吐出構造を示す一部切欠側面図。
【図９】同掘削刃体の底面説明図。
【図１０】変容例としての地盤改良装置の説明図。
【図１１】同改良材吐出構造を示す一部切欠側面図。
【図１２】同掘削刃体の底面説明図。
【図１３】第５実施例としての改良材吐出構造を示す一部切欠側面図。
【図１４】第６実施例としての改良材吐出構造を示す一部切欠側面図。
【符号の説明】
Ａ　地盤改良装置
１　ベースマシン
２　改良材供給部
３　ベースマシン本体
４　リーダ
５　モータ支持体
６　駆動用モータ
７　掘削軸体
８　二重反転歯車機構
９　相対撹拌翼体
１０　掘削刃体
【図１】
2004019160.tif 000003
【図２】
2004019160.tif 000004
【図３】
2004019160.tif 000005
【図４】
2004019160.tif 000006
【図５】
2004019160.tif 000007
【図６】
2004019160.tif 000008
【図７】
2004019160.tif 000009
【図８】
2004019160.tif 000010
【図９】
2004019160.tif 000011
【図１０】
2004019160.tif 000012
【図１１】
2004019160.tif 000013
【図１２】
2004019160.tif 000014
【図１３】
2004019160.tif 000015
【図１４】
2004019160.tif 000016